(57)【特許請求の範囲】
【請求項１】
第１の全数のビューを表示するよう構成される所与のディスプレイのクロストークを低減する方法であって、
前記所与のディスプレイに関連するクロストークの量の推定値を使用して、前記所与のディスプレイの第２の数のビューを決定することであって、前記第２の数のビューは前記所与のディスプレイについて構成された前記第１の全数のビューの分割である、決定することと、
第２の数の画像信号を前記第１の全数のビューの隣接するビューのグループに適用することによって、前記第１の全数のビューを決定された前記第２の数のビューに低減することであって、前記第２の数の画像信号の各画像信号は前記隣接するビューのグループのそれぞれに適用され、且つ、隣接するビューの各グループは隣接するピクセルの対応するグループを含む、低減することと、
隣接するピクセルの少なくとも１つのグループについて、前記グループの他のピクセルの輝度に対する前記グループの各サイドの周辺に位置するピクセルの輝度を低減することによって、前記グループの前記隣接するピクセルの輝度プロファイルを調整することと、
前記調整された輝度プロファイルにより前記第２の数のビューを用いて前記所与のディスプレイで画像を再生することと
を有する方法。
【請求項２】
前記隣接するピクセルのグループの周辺に位置するピクセルの輝度の第１のレベルは、前記隣接するピクセルのグループの他のピクセルの輝度の第２のレベルのうちの一定の割合である、
請求項１に記載の方法。
【請求項３】
前記隣接するピクセルのグループの周辺に位置するピクセルの輝度の第１のレベルは、０に等しい、
請求項１に記載の方法。
【請求項４】
前記輝度は、前記隣接するピクセルのグループに補正関数を適用することによって低減される、
請求項１乃至３のうちいずれか一項に記載の方法。
【請求項５】
前記所与のディスプレイに関連するクロストークの量の前記推定値及び前記補正関数は、試行錯誤的プロセスにより決定される、
請求項４に記載の方法。
【請求項６】
前記所与のディスプレイに関連するクロストークの量の前記推定値は、前記所与のディスプレイの特性に基づいており、前記特性は、（ｉ）ディスプレイタイプ、（ｉｉ）ディスプレイのサイズ、（ｉｉｉ）ディスプレイのピクセルのサイズ、及び（ｉｖ）ディスプレイのピクセルの数のうちの少なくとも１つを含む、
請求項１乃至４のうちいずれか一項に記載の方法。
【請求項７】
第１の全数のビューを表示するよう構成される所与のディスプレイのクロストークを低減する装置であって、
前記所与のディスプレイに関連するクロストークの量の推定値を使用して、前記所与のディスプレイの第２の数のビューを決定し、ここで、前記第２の数のビューは前記所与のディスプレイについて構成された前記第１の全数のビューの分割であり、
第２の数の画像信号を前記第１の全数のビューの隣接するビューのグループに適用することによって、前記第１の全数のビューを決定された前記第２の数のビューに低減し、ここで、前記第２の数の画像信号の各画像信号は前記隣接するビューのグループのそれぞれに適用され、且つ、隣接するビューの各グループは隣接するピクセルの対応するグループを含み、
隣接するピクセルの少なくとも１つのグループについて、前記グループの他のピクセルの輝度に対する前記グループの各サイドの周辺に位置するピクセルの輝度を低減することによって、前記グループの前記隣接するピクセルの輝度プロファイルを調整し、
前記調整された輝度プロファイルにより前記第２の数のビューを用いて前記所与のディスプレイで画像を再生する
よう構成されるプロセッサに関連するメモリを有する装置。
【請求項８】
前記隣接するピクセルのグループの周辺に位置するピクセルの輝度の第１のレベルは、前記隣接するピクセルのグループの他のピクセルの輝度の第２のレベルのうちの一定の割合である、
請求項７に記載の装置。
【請求項９】
前記隣接するピクセルのグループの周辺に位置するピクセルの輝度の第１のレベルは、０に等しい、
請求項７に記載の装置。
【請求項１０】
前記プロセッサは、前記隣接するピクセルのグループに補正関数を適用することによって、前記輝度を低減するよう構成される、
請求項７乃至９のうちいずれか一項に記載の装置。
【請求項１１】
前記プロセッサは、前記所与のディスプレイに関連するクロストークの量の前記推定値及び前記補正関数を試行錯誤的プロセスにより決定さするよう更に構成される、
請求項１０に記載の装置。
【請求項１２】
前記第２の数は、前記所与のディスプレイに関連するクロストークの量の前記推定値は、前記所与のディスプレイの特性基づいており、前記特性は、（ｉ）ディスプレイタイプ、（ｉｉ）ディスプレイのサイズ、（ｉｉｉ）ディスプレイのピクセルのサイズ、及び（ｉｖ）ディスプレイのピクセルの数のうちの少なくとも１つを含む、、
請求項７乃至１０のうちいずれか一項に記載の装置。
【発明の詳細な説明】
【技術分野】
【０００１】
本発明は、ステレオスコピックディスプレイに関係がある。より具体的には、本発明は、オートステレオスコピックディスプレイ（auto-stereoscopic  displays）においてクロストークを低減する方法、装置及びシステムに関係がある。
【背景技術】
【０００２】
当初期待されていたようには３ＤＴＶがカスタマ構内に設置されていない理由の１つに、見る者が３Ｄ立体眼鏡を、それが受動型又は能動型眼鏡のいずれであろうとも、一般的に着用しなければならないことがある。しかし、ここ数年で、ディスプレイ製造者は、パララックスバリア又はマイクロレンズアレイのいずれか一方を使用するオートステレオスコピック３Ｄディスプレイ（ＡＳ−３Ｄ）を開発し始めている。あいにく、そのようなディスプレイについては、マイクロレンズ光学伝達関数は完ぺきでなく、視野角に応じたレンズ輝度プロファイルはガウス曲線と同様である。
【発明の概要】
【０００３】
本発明は、オートステレオスコピックディスプレイのクロストークを低減する方法、装置及びシステムを提案する。
【０００４】
本発明の実施形態において、ディスプレイのクロストークを低減する方法は、前記ディスプレイのビューの全数の分割を生成し、夫々の分割されたビューが複数のサブビューを有し、少なくとも１つの分割されたビューのサブビューにわたって前記ディスプレイで再生される画像の信号強度分布に関する情報を用いて、前記ディスプレイの前記少なくとも１つの分割されたビューのサブビューに適用する補正関数を決定することと、クロストークを低減するよう前記分割されたビューのサブビューに前記補正関数を適用しながら、前記少なくとも１つの分割されたビューを少なくとも用いて前記ディスプレイで画像を再生することとを含む。
【０００５】
本発明の代替の実施形態において、ディスプレイのクロストークを低減する装置は、プログラムルーチン、ディスプレイのビューにわたる信号分布に関する情報、クロストーク情報及びデータ、を含むグループの中の少なくとも１つを記憶するメモリと、前記プログラムルーチンを実行するプロセッサとを含む。そのような実施形態において、前記プロセッサは、
前記ディスプレイのビューの全数の分割を生成し、夫々の分割されたビューが複数のサブビューを有し、少なくとも１つの分割されたビューのサブビューにわたって前記ディスプレイで再生される画像の信号強度分布に関する情報を用いて、前記ディスプレイの前記少なくとも１つの分割されたビューのサブビューに適用する補正関数を決定するように構成される。前記プロセッサは、クロストークを低減するよう前記分割されたビューのサブビューに前記補正関数を適用しながら、前記少なくとも１つの分割されたビューを少なくとも用いて前記ディスプレイで画像を再生するように更に構成される。
【０００６】
本発明の代替の実施形態において、ディスプレイのクロストークを低減するシステムは、前記ディスプレイの少なくとも１つのビューのサブビューにわたって前記ディスプレイで再生される画像の信号強度分布を決定するよう、前記ディスプレイで再生される画像の輝度を測定する測定デバイスと、プログラムルーチン、ディスプレイのビューにわたる信号分布に関する情報、クロストーク情報及びデータ、を含むグループの中の少なくとも１つを記憶するメモリ、及び前記プログラムルーチンを実行するプロセッサ、を含む装置とを含む。そのような実施形態において、前記装置は、前記ディスプレイのビューの全数の分割を生成し、夫々の分割されたビューが複数のサブビューを有し、少なくとも１つの分割されたビューのサブビューにわたって前記ディスプレイで再生される画像の信号強度分布に関する情報を用いて、前記ディスプレイの前記少なくとも１つの分割されたビューのサブビューに適用する補正関数を決定するように構成される。前記装置は、クロストークを低減するよう前記分割されたビューのサブビューに前記補正関数を適用しながら、前記少なくとも１つの分割されたビューを少なくとも用いて前記ディスプレイで画像を再生するように更に構成される。
【図面の簡単な説明】
【０００７】
本発明の教示は、添付の図面と併せて以下の詳細な説明を検討することによって、容易に理解され得る。  
【図１】理論上のＡＳ−３Ｄディスプレイのガラス上のマイクロレンズの配置のハイレベルブロック図を表し、マイクロレンズは完ぺきな配置及び理論上完ぺきな光学伝達関数を有する。
【図２】ガウス曲線により近いようマイクロレンズの視野角に応じたレンズ輝度プロファイルをもたらす現実世界の光学伝達関数を有する典型的な８ビューＡＳ−３Ｄディスプレイの輝度プロファイルのグラフ表示を表す。
【図３】典型的な超高精細（ＵＨＤ）ＡＳ−３Ｄディスプレイの輝度プロファイルのグラフ表示を表す。
【図４】本発明の実施形態に従って構成される高精細（ＵＨＤ）ＡＳ−３Ｄディスプレイの輝度プロファイルのグラフ表示を表す。
【図５】本発明の実施形態に従う補正関数のグラフ表示を表す。
【図６ａ】如何なる信号処理補正関数よりも前の図３の（ＵＨＤ）ＡＳ−３Ｄディスプレイの輝度プロファイルのグラフ表示を表す。
【図６ｂ】本発明の実施形態に従う信号処理補正関数の後の図３の（ＵＨＤ）ＡＳ−３Ｄディスプレイの輝度プロファイルのグラフ表示を表す。
【図７】本発明の実施形態に従ってオートステレオスコピックディスプレイのクロストークを低減する装置のハイレベルブロック図を表す。
【図８】本発明の実施形態に従ってオートステレオスコピックディスプレイのクロストークを低減するシステムのハイレベルブロック図を表す。
【図９】本発明の実施形態に従ってオートステレオスコピックディスプレイのクロストークを低減する方法についてのフロー図を表す。    図面は、記載される様々な発明の概念を説明することを目的とし、発明を説明するための唯一のとり得る構成では必ずしもない点が理解されるべきである。    理解を助けるよう、同じ参照符号は、図に共通する同じ要素を示すために、可能であれば使用されている。
【発明を実施するための形態】
【０００８】
本発明の実施形態は、有利なことに、オートステレオスコピックディスプレイのクロストークを低減する方法、装置及びシステムを提供する。本発明は、詳細な解像度を有している特定のディスプレイとの関連で主として記載されるが、本発明の具体的な実施形態は、本発明の適用範囲を制限するものとして扱われるべきではない。当業者に明らかなように、本発明は、有利なことに、本願で記載及び示唆されている本発明の実施形態に従ってクロストークを低減するようあらゆるそのようなディスプレイに適用され得る。
【０００９】
本願の特許請求の範囲において、特定の機能を実施する手段として表されている如何なる要素も、例えば、ａ）その機能を実施する回路素子の組み合わせ、又はｂ）如何なる形態もとるソフトウェアであって、従って、機能を実施するようそのソフトウェアを実行する適切な回路構成と組み合わされるファームウェア、マイクロコード又は同様のものを含むソフトウェアを含め、その機能を実施する如何なる方法も包含するよう意図される。そのような特許請求の範囲によって定義される本発明は、挙げられている様々な手段によって提供される機能性が、特許請求の範囲が請求している様態において組み合わされ、１つにされる、という事実に属する。よって、それらの機能性を提供することができる如何なる手段も、本願で示されているものに相当すると認められる。
【００１０】
更には、本発明の発明、態様、及び実施形態、並びにそれらの具体例を挙げている本願中の全ての記述は、それらの構造的同等物及び機能的同等物の両方を包含するよう意図される。その上、そのような同等物は、現在知られている同等物、及び将来開発される同等物、すなわち、構造にかかわらず、同じ機能を実施する開発されたあらゆる要素、の両方を含むことが意図される。
【００１１】
図中に示される様々な要素の機能は、適切なソフトウェアに関連して専用のハードウェア及びソフトウェアを実行可能なハードウェアの使用を通じて提供され得る。プロセッサによって提供される場合に、機能は、単一の専用プロセッサによって、単一の共有プロセッサによって、又は一部が共有され得る複数の個別プロセッサによって、提供され得る。更に、語“プロセッサ”又は“コントローラ”の明示的な使用は、ソフトウェアを実行することができないハードウェアをもっぱら指すと解釈されるべきではなく、制限なしに、デジタル信号プロセッサ（digital  signal  processor）（“ＤＳＰ”）ハードウェア、ソフトウェアを記憶するリードオンリーメモリ（read-only  memory）（“ＲＯＭ”）、ランダムアクセスメモリ（random  access  memory）（“ＲＡＭ”）、及び不揮発性ストレージを暗に含むことができる。更には、本発明の発明、態様、及び実施形態、並びにそれらの具体例を挙げている本願中の全ての記述は、それらの構造的同等物及び機能的同等物の両方を包含するよう意図される。その上、そのような同等物は、現在知られている同等物、及び将来開発される同等物（すなわち、構造にかかわらず、同じ機能を実施する開発されたあらゆる要素）の両方を含むことが意図される。
【００１２】
よって、例えば、当業者に明らかなように、本願で示されるブロック図は、本発明を具現化する、実例となるシステムコンポーネント及び／又は回路構成の概念図を表す。同様に、明らかなように、如何なるフローチャート、フロー図、状態遷移図、擬似コード、及び同様のものも、コンピュータ可読媒体で実質的に表現され、故に、コンピュータ又はプロセッサによって、そのようなコンピュータ又はプロセッサが明示的に示されていようとなかろうと、事項され得る様々なプロセスを表す。
【００１３】
更には、添付の図面に表されている、構成するシステムコンポーネント及び方法は、ソフトウェアで実装され得るので、システムコンポーネント又はプロセス機能ブロックの間の実際の接続は、本発明がプログラムされる様態に応じて様々であり得る。本願での教示を考慮して、当業者は、本発明のそれらの及び同様の実施又は構成を考え付くことができるだろう。
【００１４】
本発明の実施形態は、より高い解像度のディスプレイ（例えば、４Ｋ、８Ｋ）を利用するオートステレオスコピックディスプレイのクロストークを低減する方法、装置及びシステムを提供する。本発明の一実施形態に従って、オートステレオスコピックディスプレイのクロストークは、生成するビューの全数の分割を決定し、信号処理を通じてディスプレイのマイクロレンズから出てくる輝度プロファイルを調整することによって、低減される。
【００１５】
図１は、理論上のＡＳ−３Ｄディスプレイのガラス上のマイクロレンズの配置のハイレベルブロック図を表し、マイクロレンズは完ぺきな配置及び理論上完ぺきな光学伝達関数を有する。すなわち、図１のＡＳ−３Ｄディスプレイ１００は、実例として、ガラスパネル１０２、複数のマイクロレンズ（集合的に）１０４、及び複数のピクセル（集合的に）１０６を有する。図１の例は、１つのサブピクセルが１つのビューのために使用される４ビューディスプレイを有する。図１の全体図で表されるように、各ビュー（１〜４）は、パネル上のピクセル位置がどのようでも、３Ｄ表示のための最適なエリア（例えば、正確な眼位）に収束している。図１の理論上のＡＳ−３Ｄディスプレイでは、クロストークはビュー間で存在しない。
【００１６】
図２は、ガウス曲線により近いようマイクロレンズの視野角に応じたレンズ輝度プロファイルをもたらす現実世界の光学伝達関数を有する典型的な８ビューＡＳ−３Ｄディスプレイの輝度プロファイルのグラフ表示を表す。図２の８ビューＡＳ−３Ｄディスプレイでは、所与の視野角について、眼は、同時に少なくとも３つ（時々４つ）の異なったビューを見ることができる。これは、オブジェクトエッジにおいていくらかの好ましくないゴースト・アーチファクトを生じさせる。加えて、いくらかのプロファイル不均一性は、スクリーン中央に対してスクリーンの上側及び下側の両端において現れ得る。
【００１７】
図３は、典型的な超高精細（ＵＨＤ；ultra-high-definition）ＡＳ−３Ｄディスプレイの輝度プロファイルのグラフ表示を表す。より具体的には、図３は、解像度が大いに増大した、具体的には、８ビューＨＤＴＶパネルから３２ビューＵＨＤＴＶパネルへ、解像度が４倍となった、ＵＨＤ  ＡＳ−３Ｄディスプレイの輝度プロファイルを表す。図３のディスプレイでは、レンズの数は変更されておらず、各レンズの下にあるサブピクセルの数のみが４倍にされている点が留意されるべきである。各ビューの輝度プロファイルは、次のように、式（１）に従ってガウス曲線としてモデル化され得る：
【数１】
0006740228.tif 000002
上記の式で、Ｌｉ（α）は、ビューｉの輝度プロファイルを表し、αは、水平角度を表し、μｉは、ビューｉの角度位置を表す。αは、ガウス曲線の標準偏差に相当し、レンズの光学品質の特性を示す。αの値が小さければ小さいほど、クロストーク比はますます良くなる。図３で表されるように、クロストークの程度が高いほどユーザが各ビューを独立して区別することが妨げられるので、ＵＨＤ  ＡＳ−３Ｄディスプレイのために実際の３２ビューコンテンツを生成することは意味をなさない。
【００１８】
そのようなものとして、本発明の実施形態に従って、ビューの全数の分割は、隣接ビューに対して同じ信号を送ることによって、生成される。その後に、信号処理補正関数は、クロストークを低減するよう各隣接ビューに適用される。例えば、図３のＵＨＤ  ＡＳ−３Ｄディスプレイに関して、８つのビューは、４つの隣接ビューに対して同じ信号を送ることによって、３２個のビューから生成される。図４は、上述されたように８つのビューのみを含むよう本発明の実施形態に従って構成される図３のＵＨＤ  ＡＳ−３Ｄディスプレイの輝度プロファイルのグラフ表示を表す。図４で表されるように、ビューの数は、３２から８に減らされており、それにより、各ビューは４つのサブビュー／ピクセルを有することになる。
【００１９】
上述されたように、本発明の実施形態に従って、ビューの全数を細分した後、信号処理補正関数は、クロストークを低減する（下げる）よう各隣接ビューに適用される。図５は、本発明の実施形態に従う補正関数のグラフ表示を表す。図５の実施形態では、８つのビューの夫々の４つのサブピクセルの信号プロファイルが表されている。図５で表されるように、第１サブピクセル信号プロファイル及び第４サブピクセル信号プロファイルは、ｙ軸においてＸ％の信号強度を有するものとして表されており、第２サブピクセル信号プロファイル及び第３サブピクセル信号プロファイルは、ｙ軸において１００％の信号強度を有するものとして表されている。図５における各ビューの４つのサブピクセルの信号強度のグラフ表示は、ビューごとの４つのサブピクセルにわたる信号強度の期待されるガウス分布を表す。
【００２０】
本発明の一実施形態において、Ｘの値は、ビューの第１及び第４のサブピクセルから信号を本質的になくす（黒くする）よう０％に設定される。結果として、ビュー間のクロストークレベルは大幅に低減される。例えば、図６ａは、本発明の如何なる信号処理補正関数よりも前の、８つのビューを有している図３の（ＵＨＤ）ＡＳ−３Ｄディスプレイの輝度プロファイルのグラフ表示を表す。図６ｂは、図５に表されている本発明の実施形態に従う信号処理補正関数の後の、８つのビューを有している図３の（ＵＨＤ）ＡＳ−３Ｄディスプレイの輝度プロファイルのグラフ表示を表す。図６ａ及び６ｂの比較から明らかなように、ビュー間のクロストークレベルは大幅に低減される。クロストーク低減の正確なレベルは、レンズ品質（σ）及び補正プロファイル自体に依存する点が留意されるべきである。例えば、図６ａ及び６ｂで表される実施形態では、σ＝０．６及びＸ＝０％により、クロストークは、補正前で１５．４％、本発明の実施形態に従う補正後で３．１％である。
【００２１】
図７は、本発明の実施形態に従ってオートステレオスコピックディスプレイのクロストークを低減する装置のハイレベルブロック図を表す。図７の実施形態では、装置は、実例として、ディスプレイコントローラ７８０として表されている。図７のディスプレイコントローラ７８０は、実例として、プロセッサ７１０と、１つ以上の制御プログラム／ソフトウェアルーチン、表示情報及び同様のものを記憶するメモリ７２０とを有する。プロセッサ７１０は、例えば、電源、クロック回路、キャッシュメモリ及び同様のもののような従来の支援回路７３０、並びにメモリ７２０に記憶されているソフトウェアルーチン（図示せず。）を実行するのを支援する回路と協働する。そのようなものとして、ソフトウェアプロセスとして本明細書中で説明されているプロセスステップの一部は、ハードウェア内で、例えば、様々なステップを実施するようプロセッサ７１０と協働する回路として、実装され得ると考えられる。ディスプレイコントローラ７８０は、プロセッシング装置と通信する様々な機能要素の間のインターフェイスを形成する入出力回路７４０を更に含む。
【００２２】
図７のディスプレイコントローラ７８０は、本発明に従う様々な制御機能を実施するようプログラムされている汎用コンピュータとして表されるが、本発明は、ハードウェアにおいて、例えば、特定用途向け集積回路（ＡＳＩＣ；application  specified  integrated  circuit）として、実装され得る。そのようなものとして、本明細書中で記載されているプロセスステップは、プロセッサによって実行されるソフトウェア、ハードウェア、又はそれらの組み合わせによって同様に実施されるものとして広く解釈されるよう意図される。その上、図７のディスプレイコントローラ７８０は、ディスプレイ８３０（図８を参照。）の内蔵コンポーネントとして表されるが、本明細書中で記載される本発明の概念及び実施形態に従うディスプレイコントローラ７８０の機能性は、例えば、セットトップボックス、サーバ及び同様のもののような、ディスプレイを制御する外部コンポーネントの形をとることができる。
【００２３】
本発明の一実施形態において、例えば、図７のディスプレイコントローラ７８０のような、本発明のディスプレイコントローラは、例えば、ＵＨＤ  ＡＳ−３Ｄディスプレイのような、所与のディスプレイについての輝度プロファイルに関する情報を受け取る。本発明の一実施形態において、本発明のディスプレイコントローラは、そのような情報をディスプレイの製造業者から受け取ることができる。製造業者において、工場でディスプレイに対して実施される品質解析プロセスの間、ディスプレイのクロストークは、ピクセル単位で又はピクセルのグループ単位で測定され得る。そのような情報は、次いで、ルックアップテーブルにダウンロードされ、ディスプレイコントローラへ送られ得る。
【００２４】
そのような情報を有するならば、本発明のディスプレイコントローラは、隣接ピクセルに対して同じ信号を送ることによって生成するビューの全数の分割がどのようであるかに関して決定を行う。すなわち、上述されたように、本発明の実施形態に従って、ビューの全数の分割は、隣接ビューに対して同じ信号を送ることによって生成される。その後に、信号処理補正関数は、クロストークを下げるよう各隣接ビューに適用される。すなわち、上述されたように、本発明の様々な実施形態に従って、オートステレオスコピックディスプレイのクロストークは、ビューの全数の分割を生成し、補正関数を隣接ビューに適用することによって、低減され得る。本発明の様々な実施形態において、ディスプレイタイプ、ディスプレイのサイズ、及びディスプレイのサブピクセルのサイズ、のうちの少なくとも１つに応じて、そのディスプレイによって示されるクロストークの量の推定、そして、その後に、生成するビューの全数の分割及び適用される信号処理補正関数が、決定され得る。例えば、工場でのディスプレイの品質解析プロセスの間に、ディスプレイのビューの少なくとも一部にわたるディスプレイの輝度プロファイルは、測定され得、クロストークを最も良く低減するビューの数及び信号処理補正関数は、上述されたように決定され得る。そのような情報は、メモリにダウンロードされ、本発明のディスプレイコントローラへ送られ得る。その後に、同様のプロパティ（例えば、ディスプレイのタイプ、ディスプレイのサイズ、ピクセルの数及びサイズ、並びに同様のもの）を有しているディスプレイに関して、そのようなディスプレイは、最も有効にクロストークを低減するよう、同様の数のビューまで低減され、且つ、同様に処理補正関数を適用されるべきであると推測され得る。
【００２５】
本発明の代替の実施形態において、本発明のディスプレイコントローラは、測定システムに組み込まれる。そのような実施形態では、試行錯誤的プロセス（trial  and  error  process）が、隣接ビューに対して同じ信号を送ることによって生成するビューの全数、及びクロストークを下げるよう各隣接ビューに適用する信号処理補正関数を決定するために、使用される。例えば、図８は、本発明の実施形態に従ってオートステレオスコピックディスプレイのクロストークを低減する測定システムのハイレベルブロック図を表す。
【００２６】
図８のシステム８００は、実例として、画像測定を行うフーリエ光学（Fourier  Optics）の概念（例えば、ＥＬＤＩＭ  ＶＣＭａｓｔｅｒ３Ｄ）に基づく３Ｄ特性デバイス８１０を含む。３Ｄ特性データは、プロセッシングユニット８２０によって取得される。プロセッシングユニット８２０は、ディスプレイコントローラ７８０と通信する。図８の実施形態では、３Ｄ特性デバイス８１０は、３Ｄ画像及びクロストーク値を測定する。プロセッシングユニット８２０は、クロストーク値を受け取り、隣接ビューに対して同じ信号を送ることによって生成するビューの数を決定する。プロセッシングユニット８２０はまた、上述されたように、クロストークを下げるよう試みるよう、各隣接ビューに適用する信号処理補正関数を決定する。プロセッシングユニット８２０は、次いで、情報をディスプレイコントローラ７８０へ送る。ディスプレイコントローラ７８０は、決定されたビューの数及び信号処理補正関数を、関連するディスプレイに適用する。画像は、次いで、決定されたビューの数を用いてディスプレイ上で表示され、補正関数は、クロストークを低減するよう適用される。
【００２７】
クロストークを低減された画像は、再度３Ｄ特性デバイス８１０によって測定され、新しいデータが、プロセッシングユニット８２０によって捕捉され得る。プロセッシングユニット８２０は、次いで、クロストークを更に下げるよう試みるよう、生成するビューの他の数、及び夫々の新しい隣接ピクセルに適用する信号処理補正関数を、上述されたように決定することができる。
【００２８】
そのようなものとして、最適なビューの数及びビューに適用される信号処理補正関数は、決定される。そのような決定は、本発明のディスプレイコントローラ７８０のメモリに記憶され得る。図８の実施形態では、システム８００は、別個のプロセッシングユニット８２０及びディスプレイコントローラ７８０を有するが、本発明の代替の実施形態では、プロセッシングユニット８２０及びディスプレイコントローラ７８０は、単一の内蔵コンポーネントを有することができる。
【００２９】
一般に、本発明の実施形態に従って、試行錯誤的プロセスは、生成するサブビューの最良の数、及びビューに適用する最も有効な信号処理補正関数を決定するために、クロストークを最も低減された画像に近づくよう実施される。すなわち、上述されたように、サブビューの数は、隣接ビューに対して同じ信号を送ることによって生成され得、次いで、信号処理補正関数は、上述されたように、クロストークを下げるよう試みるよう各隣接ビューに適用すべく決定される。プロセスは、関連するディスプレイにおいて再生される画像について最小限のクロストークが実現されるまで、繰り返され得る。
【００３０】
図９は、本発明の実施形態に従ってオートステレオスコピックディスプレイのクロストークを低減する方法についてのフロー図を表す。方法９００はステップ９０２から開始する。ステップ９０２の間、ディスプレイのビューの全数の分割が生成され、夫々の分割されたビューは複数のサブビューを有し、ディスプレイの少なくとも１つの分割されたビューのサブビューに適用する補正関数は、その少なくとも１つの分割されたビューのサブビューにわたってディスプレイ上で再生される画像の信号強度分布に関する情報を用いて決定される。すなわち、上述されたように、本発明の一実施形態において、本発明のディスプレイコントローラは、例えば、オートステレオスコピックディスプレイの製造業者から、少なくとも１つのビューのサブビューにわたってディスプレイ上で再生される画像の信号強度分布に関する情報を受け取ることができる。本発明の代替の実施形態では、本発明のディスプレイコントローラは、測定システムのコンポーネントを有することができ、そこで、ディスプレイの少なくとも１つのビューのサブビューにわたってディスプレイ上で再生される画像の信号強度分布に関する情報は、測定システムによって測定され得る。そのような情報を有するならば、本発明のディスプレイコントローラは、次いで、上述されたように、クロストークを低減するよう、生成するサブビューの数、及び少なくとも１つのビューのサブビューに適用する補正関数を決定することができる。方法９００は、次いで、ステップ９０４へ進むことができる。
【００３１】
ステップ９０４で、画像は、ディスプレイのビュー間のクロストークを低減するよう、分割されたビューのサブビューに補正関数を適用しながら、少なくとも１つの分割されたビューを少なくとも用いてディスプレイ上で再生される。方法９００は、次いで、終了され得る。
【００３２】
本明細書は、本発明の実施形態を説明する。よって、明らかなように、当業者は、本明細書中で明示的に記載及び図示されていなくても、本発明を具現化し且つその適用範囲内に含まれる様々な配置を思い付くことができる。すなわち、オートステレオスコピックディスプレイのクロストークを低減する方法、装置及びシステムについての様々な実施形態（実例であって、制限でないよう意図される。）を記載してきたが、変更及び変形が、上記の教示に照らして当業者によって行われ得ることが知られる。従って、変更は、開示されている本発明の特定の実施形態において行われ得、それは本発明の適用範囲内にあることが理解されるべきである。上記は、本発明の様々な実施形態を対象とするが、本発明の他及び更なる実施形態は、その基本的な適用範囲から逸脱することなしに想到され得る。  
上記の実施形態に加えて、以下の付記を開示する。
（付記１）
ディスプレイ（１００）のクロストークを低減する方法（９００）であって、
前記ディスプレイ（１００）のビューの全数の分割を生成し、夫々の分割されたビューが複数のサブビューを有し、少なくとも１つの分割されたビューのサブビューにわたって前記ディスプレイ（１００）で再生される画像の信号強度分布に関する情報を用いて、前記ディスプレイ（１００）の前記少なくとも１つの分割されたビューのサブビューに適用する補正関数を決定すること（９０２）と、
クロストークを低減するよう前記分割されたビューのサブビューに前記補正関数を適用しながら、前記少なくとも１つの分割されたビューを少なくとも用いて前記ディスプレイ（１００）で画像を再生すること（９０４）と
を有する方法。
（付記２）
前記情報は、ルックアップテーブルから派生する、
付記１に記載の方法。
（付記３）
前記ビューの全数の分割及び前記補正関数は、推定される、
付記２に記載の方法。
（付記４）
前記情報は、前記ディスプレイの少なくとも１つの分割されたビューのサブピクセルにわたる輝度分布の測定から派生する、
付記１に記載の方法。
（付記５）
前記決定することは、生成するビューの数及び前記サブビューに適用する補正関数を決定するよう試行錯誤的プロセスを実施することを含む、
付記４に記載の方法。
（付記６）
前記試行錯誤的プロセスは、
前記ディスプレイの全数の分割を生成し、夫々の分割されたビューが複数のサブビューを有し、少なくとも１つの分割されたビューのサブビューへ適用する補正関数を決定することと、
分割されたビューのサブビューに前記補正関数を適用しながら、前記少なくとも１つの分割されたビューを少なくとも用いて前記ディスプレイで画像を再生することと、
前記ディスプレイの前記分割されたビューのうちの少なくとも２つのビューにわたる輝度分布を測定して、該少なくとも２つのビューの間のクロストークを決定することと、
分割されたビュー間のクロストークの量が最も少ない画像が測定されるまで、前記生成し、決定すること、前記再生すること、及び前記測定することを繰り返すことと
を含む、
付記５に記載の方法。
（付記７）
前記補正関数は、信号処理補正関数を有する、
付記１に記載の方法。
（付記８）
前記ディスプレイのビューの全数の分割は、前記ディスプレイの隣接するビューで同じ信号を再生することによって生成される、
付記１に記載の方法。
（付記９）
ディスプレイ（１００）のクロストークを低減する装置（７８０）であって、
プログラムルーチン、ディスプレイのビューにわたる信号分布に関する情報、クロストーク情報及びデータ、を含むグループの中の少なくとも１つを記憶するメモリ（７２９）と、
前記プログラムルーチンを実行するプロセッサ（７１０）と
を有し、
前記プロセッサは、
前記ディスプレイ（１００）のビューの全数の分割を生成し、夫々の分割されたビューが複数のサブビューを有し、少なくとも１つの分割されたビューのサブビューにわたって前記ディスプレイ（１００）で再生される画像の信号強度分布に関する情報を用いて、前記ディスプレイ（１００）の前記少なくとも１つの分割されたビューのサブビューに適用する補正関数を決定し（９０２）、
クロストークを低減するよう前記分割されたビューのサブビューに前記補正関数を適用しながら、前記少なくとも１つの分割されたビューを少なくとも用いて前記ディスプレイ（１００）で画像を再生する（９０４）
よう構成される、
装置。
（付記１０）
当該装置は、前記ディスプレイの内蔵コンポーネントを有する、
付記９に記載の装置。
（付記１１）
当該装置は、ディスプレイコントローラを有する、
付記９に記載の装置。
（付記１２）
前記ディスプレイコントローラは、セットトップボックスを有する、
付記１１に記載の装置。
（付記１３）
ディスプレイ（１００）のクロストークを低減するシステム（８００）であって、
前記ディスプレイ（１００）の少なくとも１つのビューのサブビューにわたって前記ディスプレイ（１００）で再生される画像の信号強度分布を決定するよう、前記ディスプレイ（１００）で再生される画像の輝度を測定する測定デバイス（８１０）と、
プログラムルーチン、ディスプレイ（１００）のビューにわたる信号分布に関する情報、クロストーク情報及びデータ、を含むグループの中の少なくとも１つを記憶するメモリ（７２０）、及び前記プログラムルーチンを実行するプロセッサ（７１０）、を含む装置（７８０）と
を有し、
前記装置（７８０）は、
前記ディスプレイのビューの全数の分割を生成し、夫々の分割されたビューが複数のサブビューを有し、少なくとも１つの分割されたビューのサブビューにわたって前記ディスプレイで再生される画像の信号強度分布に関する情報を用いて、前記ディスプレイの前記少なくとも１つの分割されたビューのサブビューに適用する補正関数を決定し（９０２）、
クロストークを低減するよう前記分割されたビューのサブビューに前記補正関数を適用しながら、前記少なくとも１つの分割されたビューを少なくとも用いて前記ディスプレイで画像を再生する（９０４）
よう構成される、
システム。
（付記１４）
前記測定デバイスは、フーリエ光学の概念に基づく、
付記１３に記載のシステム。
（付記１５）
前記装置は、ディスプレイコントローラを有する、
付記１３に記載のシステム。
（付記１６）
前記ディスプレイコントローラは、セットトップボックスを有する、
付記１５に記載のシステム。
（付記１７）
前記装置は、前記ディスプレイのビューの全数の分割を生成するために且つ前記ディスプレイの少なくとも１つの分割されたビューのサブビューに適用する補正関数を決定するために使用する輝度情報を含むルックアップテーブルにアクセスする、
付記１３に記載のシステム。
【図１】
0006740228.tif 000003
【図２】
0006740228.tif 000004
【図３】
0006740228.tif 000005
【図４】
0006740228.tif 000006
【図５】
0006740228.tif 000007
【図６ａ】
0006740228.tif 000008
【図６ｂ】
0006740228.tif 000009
【図７】
0006740228.tif 000010
【図８】
0006740228.tif 000011
【図９】
0006740228.tif 000012